(57)【要約】【課題】本発明は、簡単な操作で確実かつ簡易に開けることができ、構造至簡にして故障の原因にならない扉板を備えた陳列ケースを提供する。【解決手段】本発明に係る陳列ケースは、正面に開口面４を有するケース主体２と、該ケース主体２の側面板２ａ、２ｂの上位の開口面寄りに設けたピン穴５ａにピン５ｂを介してヒンジ結合５した扉板３とを備えた陳列ケースにおいて、前記ピン穴５ａを奥側に向けて長穴にするとともに、前記扉板３のピン５ｂより下位の適所Ｐを境にして巾方向に拡張し、該拡張部を前記ケース主体２の開口面４に重ねたことを特徴とし、扉板３の上縁を奥側に向けて押すと、押された扉板３がシーソー状に回動して下縁を手前に突き出す（初期開口する）ように構成した。【選択図】図１
2006020723.tif 000002
【特許請求の範囲】
【請求項１】
正面に開口面を有するケース主体と、該ケース主体の側面板上位の開口面寄りに設けたピン穴にピンを介してヒンジ結合した扉板とを備えた陳列ケースにおいて、前記ピン穴を奥側に向けて長穴にするとともに、前記扉板のピンより下位の適所を境にして巾方向に拡張し、該拡張部を前記ケース主体の開口面に重ねたことを特徴とする陳列ケース。
【請求項２】
前記ケース主体が、同形同大の上下面板と、同高の側面板及び背面板とを直交させた箱型のものであることを特徴とする請求項１に記載の陳列ケース。
【請求項３】
前記ケース主体が、上面板と下面板又は一側面板と他側面板とに互いに嵌合できる嵌合手段を設けるとともに、下面板又は使用時に下面板となる方の側面板の周囲に前記嵌合手段と同高のスカート体を設けたことを特徴とする請求項１又は２に記載の陳列ケース。
【請求項４】
前記ケース主体と前記扉板の下縁との対向面に、互いに係合できる係合手段を設けたことを特徴とする請求項１〜３のうちの１に記載の陳列ケース。
【発明の詳細な説明】
【技術分野】
【０００１】
本発明は、正面の扉板をあけてケース主体内に人形等を挿入陳列するとともに、陳列後の人形等を扉板を透して美麗に見えるようにした陳列ケースに関するものである。
【背景技術】
【０００２】
この種の陳列ケースには、正面の扉板に開閉のための把手や手指を引っ掛ける穴を設けるときは、把手が内部に陳列した人形等の透視の邪魔（歪ませたり、影を作る等）になったり、手指を引っ掛ける穴から埃などの侵入を許すことになるおそれがあった。
【０００３】
従来、これらを解決する代表的な技術として、特開２００４−８９５４０号及び特開昭６２−２７１８５３号が開示されていた。前者のものは、ケース主体の開口部に面一に落とし込んだ扉板を下縁でヒンジ結合し、上縁に外側（手前側）に曲げた指掛かり（把手に相当）を設け、該指掛かりが透視の邪魔になりにくくしていた。また、後者のものは、ケース主体の開口部に面一に落とし込んだ扉板の端部の一部を内方に押すと、扉板のロックが外れて扉板が開くように構成されていた。
【特許文献１】特開２００４−８９５４０号
【特許文献２】特開昭６２−２７１８５３号
【発明の開示】
【発明が解決しようとする課題】
【０００４】
しかしながら、前者（特開２００４−８９５４０号）は、扉板の上縁に設けた指掛かりが、外側（手前側）に単に曲げただけのものであり、上方向に持ち上げるように指先を圧接させ、その摩擦力を高めた状態で手前に引かなければ開けることができなかったため、非常に開けにくいものであった。また、後者（特開昭６２−２７１８５３号）は、上記所定の操作により扉板が開くようにするには、該扉板はバネなどの補助手段により常に開く方向に付勢しておく必要があったため、構造が複雑化し故障の原因になったばかりでなく、コスト高になるという問題があった。
【０００５】
本発明は、上記の諸問題を解消するためのもので、その目的とするところは、簡単な操作で確実かつ簡易に開けることができ、構造至簡にして故障の原因にならない扉板を備えた陳列ケースを提供する点にある。
【課題を解決するための手段】
【０００６】
上記の目的を達成するため、本発明に係る陳列ケースは、正面に開口面を有するケース主体と、該ケース主体の側面板上位の開口面寄りに設けたピン穴にピンを介してヒンジ結合した扉板とを備えた陳列ケースにおいて、前記ピン穴を奥側に向けて長穴にするとともに、前記扉板のピンより下位の適所を境にして巾方向に拡張し、該拡張部を前記ケース主体の開口面に重ねたことを特徴とし、扉板の上縁を奥側に向けて押すと、押された扉板がシーソー状に回動して下縁を手前に突き出すように構成した。
【０００７】
又、請求項２に記載に係る陳列ケースは、前記ケース主体が、同形同大の上下面板と、同高の側面板及び背面板とを直交させた箱型のものであることを特徴とし、上下方向及び左右方向に密接して配置できるように構成した。
【０００８】
さらに、請求項３に記載に係る陳列ケースは、前記ケース主体が、上面板と下面板又は一側面板と他側面板とに互いに嵌合できる嵌合手段を設けるとともに、下面板又は使用時に下面板となる方の側面板の周囲に前記嵌合手段と同高のスカート体を設けたことを特徴とし、上下方向に嵌合させることにより横方向（水平方向）にズレ動くことがないように構成するとともに、扉板が横開きになるように利用することも可能なように構成した。
【０００９】
さらにまた、請求項４に記載に係る陳列ケースは、前記ケース主体と前記扉板の下縁との対向面に、互いに係合できる係合手段を設けたことを特徴とし、閉じた扉板の下縁を軽く押すことにより扉板の下縁がケース主体に係合できるように構成した。
【発明の効果】
【００１０】
本願陳列ケースによれば、扉板の上縁を奥側に向けて押すと、ピンがピン穴の長穴の範囲で後方に向けて移動する結果、扉板はピンより下位点を境にシーソー状に回動して扉板の下縁を手前側に突き出させるから、その部位に手指を掛ければ扉板は簡単に開けることが可能となり、したがって、扉板に把手や指掛かりのための穴は一切不要になる。しかも、扉板の構造を複雑化させることがなく、故障の原因になることもない上、コストの低廉化が期待できるなど、各種の優れた効果を奏するものである。
【００１１】
また、請求項２に記載に係る陳列ケースによれば、上下方向及び左右方向に密接配置でき、しかも、密接配置した状態のまま、上述のように、各ケース主体毎の扉板は、その上縁を奥側に押して下縁を手前に突き出させることにより開けられるようになるという優れた効果を奏するものである。
【００１２】
さらに、請求項３に記載に係る陳列ケースによれば、上下方向には嵌合手段による嵌合で横方向（水平方向）にズレ動くことがないから、陳列しようとする人形等の数が増え、ケース主体を２段、３段の如く重ねたとしても、安定するとともに、各扉板は上下方向にも横方向（水平方向）にも開けられる格好で積み重ねることができ、積み重ね後に、ヒンジ側を奥側に押す操作が支障なく行える。しかも、スカート体は積み上げたケース主体間の隙間を埋めるため、壁状に積み重ねた後の全体の体裁をよく整え得るという優れた効果を奏するものである。
【００１３】
さらにまた、請求項４に記載に係る陳列ケースによれば、扉板の上縁のピン穴とピンとのヒンジ結合部を中心にヒサシ状になるように開けて人形等を陳列した後、降ろして下縁を軽く押すと、前記ピン穴とピンとの「ルーズさ」により扉板の下縁の凸条がケース主体の凹条に「カチン」と係合し、扉板が安定する。したがって、扉板を透してケース主体内に陳列した人形等は歪むことなく正しく見えるようになるという優れた効果を奏するものである。
【発明を実施するための最良の形態】
【００１４】
次に、本発明の実施の態様を添付図面に基づいて説明する。図１は本願陳列ケースの外観を示す斜視図、図２は扉板の初期開口時を示す斜視図、図３は本願陳列ケースの分解斜視図、図４は扉板の初期開口までの手順を示す略示的断面図で、（ａ）は平状時、（ｂ）は上縁プッシュ時、（ｃ）は初期開口時、図５は本願陳列ケースの扁平凸体と扁平凹体との関係を示す断面図、図６は本願陳列ケースを横及び縦に壁状に配置した状態を示す断面図である。
【００１５】
本願陳列ケース１は、図１の如く、ケース主体２と、該ケース主体２の正面を覆った扉板３とを備えてなる。該ケース主体２は、図３の如く、上面板２ａと両側面板２ｃ、２ｄ及び背面板２ｅの一体物と、下面板２ｂとを接地面Ｓ、Ｓ′にて高周波接着（接着剤接着でもよい）し、正面に開口面４が形成された箱型（立方体）のものとして形成される。箱型のケース主体２は、積み重ねや横並び状に密接して配置できる点で好ましい。なお、ケース主体２はその全部が前述の如く同寸法の正立方体であってもよいが、上下面板が巾方向に２倍ないし３倍になった長方体にしたものを併用してもよい（図６参照）。勿論、これら以外の変形立方体で構成してもよい。
【００１６】
前記扉板３は、前記ケース主体２の側面板２ｃ、２ｄの上位の開口面４寄りに、隆起部２ｃ′、２ｄ′を設け、該隆起部２ｃ′、２ｄ′に設けたピン穴５ａと、前記扉板３の上縁両側縁に設けたピン５ｂとをヒンジ結合５してなる。この場合、ピン穴５ａは奥側に向けて長穴にし、前記扉板３の上縁中央部を、図２の矢印Ａの如く、プッシュしたときに、ピン５ｂが奥側に向けて移動できるようにしている。このピン穴５ａはピン５ｂがスムーズに移動できるように上下方向にもルーズになっている。
【００１７】
前記扉板３は、前記ピン５ｂより下位の適所Ｐを境にして側面板の肉厚相当分だけ巾方向に拡張し、該拡張部３ａ、３ｂをケース主体２の開口面４に重ねている。換言すれば、扉板３は前記ピン５ｂより下位の適所Ｐを境にして上側が巾狭、下側が巾広にそれぞれなっている。したがって、扉板３は、その上縁中央部を、前述の如く、プッシュすることにより前記Ｐ点を支点にしてシーソー状に回動する。この回動で扉板３の下縁３′は、図２の如く、手前に突き出す（初期開口する）こととなる。この初期開口した扉板３はその下縁に、手指を掛けて上方に回動させれば、一点鎖線の如く、ヒサシ状に開けることができる。なお、本願陳列ケース１は積み重ねや横並び状に密接して配置するときに、扉板３が横開きになるように配置することは自由である。
【００１８】
前記ケース主体２及び扉板３は、透明性を有するプラスチック（例えば、非結晶性のポリスチレン、ポリ塩化ビニル、アクリル樹脂、ポリカーボネート、ポリフェニレンオキサイドなど）により形成される。尤も、本願陳列ケース１としては全部が透明でなくても、正面になる扉板３のみが透明であっても満足できるものである。
【００１９】
前記ケース主体２の上面板２ａと下面板２ｂの如く対向する外面（両側面板２ｃ、２ｄの外面の場合もある）には互いに嵌合できる嵌合手段６が設けられている。該嵌合手段６として具体的には、図５の如く、上面板２ａの中央部に図において４つの扁平凸体（環状リブ）７を設けるとともに、下面板２ｂには、前記扁平凸体７をピッタリと嵌入させる同数の扁平凹体（環状リブ）８を設けている。これはケース主体２を上方に順次積み上げる時に、下位のケース主体２の扁平凸体７に、上位のケース主体２の扁平凹体８を対向させて両ケース主体２、２を重ねると、両者は、互いに嵌合し、積み上げられた両ケース主体２、２は横方向（水平方向）にズレ動くことがなくなることとなる。
【００２０】
なお、図６では正立方体の本願陳列ケース１を２個積層し、上下面板が巾方向に２倍になった長方体からなる本願陳列ケース１を扉板３が横開きになるように配置した場合を示している。この長方体からなる本願陳列ケース１のケース主体２では、前記扁平凸体（環状リブ）７が右側面板２ｄに設けられている。この場合、正立方体の２個と長方体の１個とが同高となり、両者の接触線Ｇを跨いで正立方体の１個（一点鎖線で示す）を重ねて前記嵌合手段６を嵌合させれば、接触線Ｇをより強固にできることは勿論である。
【００２１】
前記下面板２ｂの周囲（又は使用時に下面板となる方の側面板の周囲）には、図５の如く、前記扁平凹体８と同高のスカート体９が設けられている。このスカート体９は扁平凸体７と扁平凹体８を嵌合させつつケース主体２を積み上げた後に、ケース主体２、２間に隙間を埋め、積み上げた後の本願陳列ケース１の体裁を整える上に有効である。
【００２２】
前記ケース主体２と前記扉板３の下縁３′との対向面には、互いに係合できる係合手段１０を設けている。該係合手段１０として具体的には、ケース主体２に凹条１１を設け、扉板３の下縁３′に凸条１２が設けている。これは前記扉板３の下縁中央部を、図２の矢印Ｂの如く、プッシュ（軽く押す）すると、前記ピン穴５ａとピン５ｂとの「ルーズさ」により扉板３の下縁の凸条１２がケース主体２の凹条１１を乗り越えて係合する。したがって、扉板３はケース主体２の開口面４に面一に安定的に保持されるから、扉板３を透してケース主体２内に陳列した人形等（図示せず）を歪ませることなく正しく美麗に見せることができることとなる。
【００２３】
前記扉板３の下縁３′の凸条１２が、ケース主体２の凹条１１に、図４（ａ）の如く係合している状態において、扉板３の上縁を図４（ｂ）の矢印Ａの如くプッシュすると、扉板３の上縁は、ピン５ｂがケース主体２の側面板２ｃに設けたピン穴５ａの長穴を奥側へ向けて移動する時に、扉板３の凸条１２とケース主体２の凹条１１とは未だ解除されないままであるため、扉板３は前記Ｐ点を支点として反り返える。この反り返えり状態を図面上では強調して示している。
【００２４】
上記の如く反り返った扉板３には上方に向く力も作用するため、前記ピン穴５ａとピン５ｂとの「ルーズさ」もあって扉板３は上動し、扉板３の下縁の凸条１２がケース主体２の凹条１１から脱出し、図４（ｃ）の如く、扉板３の下縁３′が初期開口する。その後、突き出した下縁に、手指を掛けて上方に向けて回動すれば、扉板３は前述した通り、ヒサシ状（配置の仕方によっては横開き）に開くこととなる。このケース主体２と扉板３との対向面に設けた係合手段１０は、扉板３を図６の如く横開き状に配置するときは、扉板３の閉じた状態を安定的に維持させる上にも有効である。
【産業上の利用可能性】
【００２５】
本願陳列ケース１は、扉板の上縁を奥側に向けて押すと、ピンがピン穴の長穴の範囲で後方に向けて移動する結果、扉板はピンより下位の適所を境にシーソー状に回動して扉板の下縁を手前側に突き出させるから、その下縁に手指を掛ければ扉板は簡単に開けることが可能となる。したがって、扉板には内部に陳列した人形等を歪ませたり影を作るなどの把手が不要となるばかりでなく、埃の侵入を許す指掛かりのための穴も一切不要になる。しかも、扉板の構造は複雑化することも、故障の原因になることもない上、コストの低廉化が期待できるから、人形等の陳列ケース主体として店頭においても家庭においても広く利用できる可能性の高いものである。
【図面の簡単な説明】
【００２６】
【図１】本願陳列ケースの外観を示す斜視図である。
【図２】扉板の初期開口時を示す斜視図である。
【図３】本願陳列ケースの分解斜視図である。
【図４】扉板の初期開口までの手順を示す略示的断面図で、（ａ）は平状時、（ｂ）は上縁プッシュ時、（ｃ）は初期開口時である。
【図５】本願陳列ケースの扁平凸体と扁平凹体との関係を示す断面図である。
【図６】本願陳列ケースを横及び縦に壁状に配置した状態を示す断面図である。
【符号の説明】
【００２７】
１  本願陳列ケース
２  ケース主体
２ａ、２ｂ  上下面板
２ｃ、２ｄ  側面板
２ｃ′、２ｄ′  突き出し部
２ｅ  背面板
３  扉板
３′  下縁
４  開口面
５  ヒンジ結合
５ａ  ピン穴
５ｂ  ピン
６  嵌合手段
７  扁平凸体（環状リブ）
８  扁平凹体（環状リブ）
９  スカート体
１０  係合手段
１１  凹条
１２  凸条
Ｓ、Ｓ′  接地面
Ｇ  接触線
【図１】
2006020723.tif 000003
【図２】
2006020723.tif 000004
【図３】
2006020723.tif 000005
【図４】
2006020723.tif 000006
【図５】
2006020723.tif 000007
【図６】
2006020723.tif 000008